(57)【要約】      （修正有）【課題】装置載置時においてスピーカ音孔の周囲に音の通り道を確保可能として、安定した音をユーザに対して提供できるようにした携帯端末を提供する。【解決手段】操作部を有する下部筐体１に対して表示部を有する上部筐体２が変移自在に連結され、下部筐体１の操作部とは反対面（背面）にスピーカ音孔７が設けられた携帯端末において、載置面６に載置されたとき、背面と載置面との間にスピーカ音を開放可能な隙間９が生じる様に、背面が載置面に対して傾いて構成され、またスピーカ音孔７の近傍に突起部４が設けられている。【選択図】図１
2010252001.tif 000002
【特許請求の範囲】
【請求項１】
操作部を有する第一筐体に対して表示部を有する第二筐体が変移自在に連結され、前記第一筐体の操作部とは反対面（背面）にスピーカ音孔が設けられた携帯端末であって、
載置面に載置されたとき、前記背面と前記載置面との間にスピーカ音を開放可能な隙間が生じる様に、前記背面が前記載置面に対して傾いて構成され、
また前記スピーカ音孔の近傍に突起部が設けられていることを特徴とする携帯端末。
【請求項２】
前記第二筐体の変移に伴って、前記携帯端末の重心が前記第二筐体の方向へずれたときに、前記突起部が載置面に当接するようにしたことを特徴とする請求項１記載の携帯端末。
【請求項３】
前記スピーカ音孔は複数設けられており、前記突起部はこれら複数のスピーカ音孔の中心に設けられていることを特徴とする請求項１または２記載の携帯端末。
【発明の詳細な説明】
【技術分野】
【０００１】
本発明は携帯端末に関し、特に操作部筐体に対して表示部筐体が変移自在に連結され操作部筐体の操作部とは反対面にスピーカ音孔を設けた携帯端末に関するものである。
【背景技術】
【０００２】
携帯端末を代表する携帯電話機としては、種々の構成の機器が使用されているが、その一例として、折り畳み式の携帯電話機がある。このような折り畳み式の携帯電話機の例を、図４に示している。図４では、この折り畳み式携帯電話機を開いた状態において背面から見た背面図が示されている。
【０００３】
図４において、操作部（図示せず）を有する下部（第一）筐体１と、表示部（図示せず）を有する上部（第二）筐体２とを有し、下部筐体１に対して開閉自在に上部筐体２が図示せぬヒンジ部によって連結されている。
【０００４】
このような折り畳み式携帯電話機において、装置軽薄化等の形状の多様化により、下部筐体１側のヒンジ部付近の背面に、スピーカ機能を有するものがある。図では、スピーカ音孔を７として示している。
【０００５】
かかる構造の携帯電話機のユーザ使用場面を考慮した場合、通常、机などの載置面上に装置を載置することが多く、この時スピーカ音孔７のある筐体背面が載置面に接することになる。その結果、スピーカ音孔７も載置面に接することになって、スピーカ音がこもったり、もしくは音が小さくなる音圧低下の問題が発生することになる。
【０００６】
そこで、スピーカ音孔７が載置面で塞がれないようにするために、例えば、図５及び図６に示す様に、下部筐体１のスピーカの近くの背面に、別部品の突起部８を追加して設け、当該背面をいわゆる底上げすることにより、載置面６と下部筐体１の背面との間に隙間９を形成するようにしたものがある（特許文献１参照）。
【０００７】
なお、図５は、図４に示した折り畳み式携帯電話機を折り畳んだ状態の背面図を示し、図６は、図５のＡ−Ａ線に沿う矢視方向の一部拡大断面図である。
【先行技術文献】
【特許文献】
【０００８】
【特許文献１】実開平７−２５６４５号公報
【発明の概要】
【発明が解決しようとする課題】
【０００９】
下部筐体１が載置面６の上に載置される場合には、この別部品の突起部８が、装置開閉の有無にかかわらず、常時載置面６と接することになり、この突起部８が摩耗して削れたり、外れたりするなどの不具合が発生する懸念がある。
【００１０】
本発明の目的は、装置載置時においてスピーカ音孔の周囲に音の通り道を確保可能として、安定した音をユーザに対して提供できるようにした携帯端末を提供することである。
【課題を解決するための手段】
【００１１】
本発明による携帯端末は、操作部を有する第一筐体に対して表示部を有する第二筐体が変移自在に連結され、前記第一筐体の操作部とは反対面（背面）にスピーカ音孔が設けられた携帯端末であって、載置面に載置されたとき、前記背面と前記載置面との間にスピーカ音を開放可能な隙間が生じる様に、前記背面が前記載置面に対して傾いて構成され、また前記スピーカ音孔の近傍に突起部が設けられていることを特徴とする。
【発明の効果】
【００１２】
本発明によれば、スピーカ音孔のある筐体背面と載置面との間に隙間が生じるように、背面を載置面に対して傾く様に構成し、第一筐体に対して第二筐体が変移して装置重心が第二筐体方向へ移動した場合にのみ突起部が載置面と接するようにしたので、突起部の摩耗などによる上記問題を解決しつつ、ユーザに対して安定なスピーカ音を供給できるという効果がある。
【図面の簡単な説明】
【００１３】
【図１】本発明の実施の形態における一状態例を示す図であり、（Ａ）はその側面図、（Ｂ）は（Ａ）の一部拡大断面図、（Ｃ）はスピーカ音孔近傍を示す図である。
【図２】本発明の実施の形態における他の状態例を示す図であり、（Ａ）はその側面図、（Ｂ）は（Ａ）の一部拡大断面図である。
【図３】本発明の他の実施の形態を示す図である。
【図４】折り畳み式携帯電話機の開状態の背面図である。
【図５】本発明に関連する折り畳み式携帯電話機の閉状態の背面図である。
【図６】図５のＡ−Ａ線に沿う矢視方向の拡大断面図である。
【発明を実施するための形態】
【００１４】
以下に、図面を参照しつつ本発明の実施の形態について説明する。図１は本発明の実施の形態を示す図である。図１（Ａ）は、携帯電話機を載置面６上に載置した場合の側面図であり、（Ｂ）は、（Ａ）の下部筐体１の下側フレーム１１の一部（スピーカ音孔７近傍）断面を模式的に示した図であり、（Ｃ）は、スピーカ音孔７と突起部４との位置関係を示す図である。なお、図１において、他の図と同等部分は同一符号により示しいる。
【００１５】
図１に示す様に、操作部（図示せず）を有する下部筐体１の背面において、すなわち、この下部筐体１を構成する下側フレーム１１の背面のスピーカ音孔７が設けられた部分近傍（ヒンジ部３の近傍）において、この背面と載置面６との間に隙間９が生じる様に当該背面の構造を定める。
【００１６】
例えば、図１（Ａ）に示したように、スピーカ音孔７部分のフレーム１１の背面を、載置面に対して傾斜した構造とする。例えば、装置の長辺に平行な断面の形状を、いわゆるラウンドフォルム（湾曲構造）として、スピーカ音孔７が設けられている背面部分が、載置面６に対して傾いた構造とする。
【００１７】
これにより、両者間に隙間９が形成されるようにして、スピーカ音が当該隙間９により外部へ開放可能なようにするのである。ラウンドフォルムとする代わりに、直線的に傾斜する構造であっても良い。また、本実施の形態では、スピーカ音孔７の中心部分に突起部４を設けている。
【００１８】
図１（Ａ）の状態、すなわち、上部筐体２が下部筐体１に対して、直角（２０で示す）及び０度を含む鋭角の場合には、隙間９によりスピーカ音はこもることなく外部へ放出される。このとき、突起部４は載置面６と接していないものとする。
【００１９】
ここで、図２（Ａ）に示す様に、上部筐体２が下部筐体１に対して鈍角（３０で示す）となるように開かれた状態になると、装置重心が下部筐体側から上部筐体の方向へ移動するが、このとき、突起部４がないと、この移動に伴って、装置が上部筐体側（図の右側）へ傾いて、フレーム１１の背面が載置面６に接してしまい、隙間９がなくなる。その結果、スピーカ音孔７が塞がってしまい、音がこもることになる。その結果、上部筐体２の開閉により、音の変化が大きくなってしまうことになる。
【００２０】
しかしながら、本実施の形態では、突起部４をスピーカ音孔７の中心部分に設けているので、図２（Ａ）のように、上部筐体２が下部筐体１に対して鈍角となるように大きく開かれた状態になると、図２（Ｂ）に示すように、突起部４が載置面６と接するようになる。よって、この突起部４により、載置面６と下部筐体の下側フレーム１１の背面とには依然として隙間９が維持されて、スピーカ音の通り道が確保されることになるので、やはり、スピーカ音はこもることなく外部へ放出される。その結果、上部筐体２の開閉によっては音の変化が大きくなることはないのである。
【００２１】
本実施の形態によれば、突起部４が載置面６と接するのは、図２に示したように、上部筐体２が下部筐体１に対して変移して、装置重心が上部筐体方向へずれたときのみあり、図１の状態では、突起部４は載置面６と接することはない。よって、特許文献１のように、突起部４は常時載置面６と接するわけではないので、突起部の摩耗などによる損傷の割合はかなり低くなるものである。
【００２２】
なお、突起部４を設ける位置は、図１（Ｃ）に示すようなスピーカ音孔７の中心部分に限らず、スピーカ音孔７の近傍に設ければ良いものである。
【００２３】
図３は本発明の他の実施の形態を示す図であり、上部筐体２を下部筐体１に対して閉状態として載置面６に載置したときに、装置の長辺に平行に見たときの側面図である。本例では、この長辺に直交する方向の断面において、下部筐体１の背面を、いわゆるラウンドフォルム（湾曲構造）として、載置面とこの背面との間に隙間９を常時形成するようにして、スピーカ音の通り道を確保したものである。
【００２４】
この実施の形態の場合には、上部筐体がどのように変移しても、すなわち、装置の重心の変動にかかわらず、隙間９が確保されるので、突起部は不要であるという利点がある。
【００２５】
上記の実施の形態においては、第二筐体が第一筐体に対して、開閉自在に連結された折り畳み式携帯電話機の例を説明したが、これに限らず、第二筐体が第一筐体に対して回転自在に連結された構造のものや、第二筐体が第一筐体に対してスライド自在に連結された構造のものなど、第二筐体が第一筐体に対して変移自在に連結された構造のものであれば、本発明は適用可能である。また、携帯電話機に限らず、携帯型の情報処理端末であれば、同様に適用可能であることは明白である。
【符号の説明】
【００２６】
１  下部（第一）筐体
２  上部（第二）筐体
３  ヒンジ部
４，８  突起部
６  載置面
７  スピーカ音孔
９  隙間
１１  下側フレーム
【図１】
2010252001.tif 000003
【図２】
2010252001.tif 000004
【図３】
2010252001.tif 000005
【図４】
2010252001.tif 000006
【図５】
2010252001.tif 000007
【図６】
2010252001.tif 000008